(57)【要約】      （修正有）【課題】小型化の妨げにならない複数個の単位ソケットが収容可能なコネクタ構造【解決手段】一方向に揃うソケットコンタクトを有するソケットハウジング１１と、ソケットハウジング１１を嵌合状態で収容するソケット収容部２１５１を備えるベースハウジング２１とを備え、ソケットハウジング１１は隣り合うソケットコンタクト同士を隔てる単位ソケット１１０の集合体であり、分割された単位ソケット１１０は嵌合状態でベースハウジング２１に対峙する側面に挿入方向に沿う案内突条部が備わり、ベースハウジング２１の対応する後壁には案内突条部に対応する位置に案内溝部２１２１が備わり、ベースハウジング２１はカバー部２３０とホルダー部２１０とに分離可能で、ホルダー部２１０の内側面には案内溝部２１２１が備わり、分離状態のホルダー部２１０は底壁をカバー部２３０の底壁に近づける姿勢で嵌合される。【選択図】図３
2018120798.tif 000002
【特許請求の範囲】
【請求項１】
一方向に揃うソケットコンタクトを有するソケットハウジングと、前記ソケットハウジングを嵌合状態で収容する収容室を備えるベースハウジングとを備えるコネクタ構造であって、
前記ソケットハウジングは隣り合う前記ソケットコンタクト同士を隔てるように少なくとも一つの分割面で二つ以上に分割された単位ソケットの集合体であり、
分割された前記単位ソケットは前記嵌合状態で前記ベースハウジングに対峙する側面に挿入方向に沿う案内機構が備わり、前記ベースハウジングの対応する側面には前記案内機構に対応する位置に被案内機構が備わるところに特徴を有するコネクタ構造。
【請求項２】
前記ベースハウジングは外周部のカバー部と内周部のホルダー部とに分離可能で、前記ホルダー部の内側面には前記被案内機構が備わり、
分離状態の前記ホルダー部は底壁を前記カバー部の底壁に近づける姿勢で嵌合されるところに特徴を有する請求項１記載のコネクタ構造。
【請求項３】
前記ベースハウジング又は前記ホルダー部は前記ソケットハウジングを２個以上収容可能な前記収容室を備え、隣り合う前記収容室の間には仕切り壁が備わるところに特徴を有する請求項１又は２記載のコネクタ構造。
【請求項４】
前記単位ソケットの前記案内機構が嵌合方向に沿って延びる突条部であり、前記ベースハウジング又は前記ホルダー部の前記被案内機構が前記突条部に対応する位置に形成された溝部であるところに特徴を有する請求項１から３の内一項記載のコネクタ構造。
【請求項５】
前記突条部が備わる前記単位ソケットの側面には片持ち梁状の係止突部が備わり、前記ベースハウジング又は前記ホルダー部の対応する側面には前記係止突部に対応する位置に係止穴が備わるところに特徴を有する請求項１から４の内一項記載のコネクタ構造。
【発明の詳細な説明】
【技術分野】
【０００１】
この発明はソケットハウジングとベースハウジングのコネクタ構造に関する。
【背景技術】
【０００２】
この分野の技術として、特許文献１記載の技術が知られている。複数個のコネクタ保持部を備えたホルダー部に複数個のコネクタを着脱可能に保持し、これら複数のコネクタとホルダー部とを一体化した後、複数個のコネクタをジョイントコネクタの収容部に嵌合するものである。
このようにホルダー部を備えることで複数個のコネクタを一括で嵌合できるメリットがある。
【先行技術文献】
【特許文献】
【０００３】
【特許文献１】特開２００３−１５１６７７号公報
【発明の概要】
【発明が解決しようとする課題】
【０００４】
しかし、ホルダー部のソケットハウジング収容部には隣接するソケットハウジング同士を隔てる仕切り壁が備わるので、壁厚相当分コネクタの小型化が妨げられる。また収容可能なソケットハウジングは２個のコンタクトが組み付く２極用ソケットコネクタが示されるのみなので、収容可能なソケットハウジングの組み合わせは制限的である。
【０００５】
本発明は、上述した問題に鑑みてなされたものであり、コネクタ構造の小型化の妨げにならない複数個のソケットハウジングが収容可能なコネクタ構造の提供を目的とするものである。
【課題を解決するための手段】
【０００６】
本発明のコネクタ構造は、（１）一方向に揃うソケットコンタクトを有するソケットハウジングと、前記ソケットハウジングを嵌合状態で収容する収容室を備えるベースハウジングとを備えるコネクタ構造であって、前記ソケットハウジングは隣り合う前記ソケットコンタクト同士を隔てるように少なくとも一つの分割面で二つ以上に分割された単位ソケットの集合体であり、分割された前記単位ソケットは前記嵌合状態で前記ベースハウジングに対峙する側面に挿入方向に沿う案内機構が備わり、前記ベースハウジングの対応する側面には前記案内機構に対応する位置に被案内機構が備わるところに特徴を有するものである。
【０００７】
この発明によれば、ベースハウジングは複数個の単位ソケットが収容可能な収容室を備える。単位ソケット同士は分割面が密接する状態で収容されるので単位ソケット同士を隔てる仕切り壁は備わらない。これにより、小型化の妨げにならない複数個の単位ソケットが収容可能なコネクタ構造が得られる。
【０００８】
単位ソケットは装着されるコンタクトの個数に制限はなく、ベースハウジングに組み付く組み合わせにも制限はない。単位ソケットが４個組み付く場合であってよく、その際２極、３極、４極、及び３極からなる単位ソケットの組み合わせであってもよい。もちろん同極数からなる単位ソケットの組み合わせであってもよい。
【０００９】
好ましくは、本発明のコネクタ構造は、（２）前記ベースハウジングは外周部のカバー部と内周部のホルダー部とに分離可能で、前記ホルダー部の内側面には前記被案内機構が備わり、分離状態の前記ホルダー部は底壁を前記カバー部の底壁に近づける姿勢で嵌合されるところに特徴を有する（１）記載のものである。
【００１０】
この発明によれば、ホルダー部はカバー部に着脱可能である。これにより、複数個の単位ソケットが所定の位置に組み付けられたホルダー部を対応するカバー部に組み付けることができるので１回の操作で複数個の単位ソケットの一括嵌合が可能である。
【００１１】
好ましくは、本発明のコネクタ構造は、（３）前記ベースハウジング又は前記ホルダー部は前記ソケットハウジングを２個以上収容可能な前記収容室を備え、隣り合う前記収容室の間には仕切り壁が備わるところに特徴を有する（１）又は（２）記載のものである。
【００１２】
この発明によれば、ベースハウジングは少なくとも一つの仕切り壁で隔たれた少なくとも２個以上の収容室を備えるので、複数個の単位ソケットの組み付け個数や異なる極数の組み合わせの自由度が増す。たとえば収容室を一軸状に配置してもよく、ｎ行×ｍ列からなる碁盤目状態に配置してもよい。なおｎ、ｍは自然数である。
【００１３】
好ましくは、本発明のコネクタ構造は、（４）前記単位ソケットの前記案内機構が嵌合方向に沿って延びる突条部であり、前記ベースハウジング又は前記ホルダー部の被案内機構が前記突条部に対応する位置に形成された溝部であるところに特徴を有する（１）から（３）の内一項記載のものである。
【００１４】
この発明によれば、単位ソケットはベースハウジングあるいはホルダー部に対する組み付け位置が案内機構によって調整され、位置合わせがおこなわれたところから嵌合完了深さまで案内機構に沿って進む。
【００１５】
好ましくは、本発明のコネクタ構造は、（５）前記突条部が備わる前記単位ソケットの側面には片持ち梁状の係止突部が備わり、前記ベースハウジング又は前記ホルダー部の対応する側面には前記係止突部に対応する位置に係止穴が備わるところに特徴を有する（１）から（４）の内一項記載のものである。
【００１６】
この発明によれば、単位ソケットはベースハウジングあるいはホルダー部に対して嵌合完了深さで係止部で保持される。
【図面の簡単な説明】
【００１７】
【図１】図１は、本発明の実施形態に係るコネクタ構造の外観斜視図であって、（Ａ）は斜め上方からの斜視図、（Ｂ）は斜め下方からの斜視図である。
【図２】図２は、同コネクタ構造の単位ソケットと分離された状態の電線に接続されたコンタクトとの外観斜視図である。
【図３】図３は、同コネクタ構造の単位ソケット、ホルダー部、及びカバー部の組み付け工程で単位ソケットがホルダー部に組み付けられる段階を示す外観斜視図である。
【図４】図４は、同コネクタ構造の組み付け工程で単位ソケットが組み付けられたホルダー部がカバー部に組み付けられる段階を示す外観斜視図である。
【図５】図５は、同コネクタ構造の組み付け工程で単位ソケットがホルダー部に組み付けられる段階を示すもので図３の裏面を示す外観斜視図である。
【図６】図６は、同コネクタ構造の単位ソケットがカバー部の対応するところに嵌合する工程図であって、（Ａ）は嵌合前の状態、（Ｂ）は嵌合途中の状態、（Ｃ）は嵌合完了の状態を示す外観斜視図であり、（Ｄ）はホルダーの底面図である。
【図７】図７は、同コネクタ構造のホルダー部がカバー部に装着された状態のベースハウジングに単位ソケットが組み付けられる様子を示す外観斜視図である。
【図８】図８は、他の実施形態に係る仕切り壁で区画される複数個の収容部からなるカバー部及び対応する複数個のホルダー部が示されるコネクタ構造の外観斜視図である。
【図９】図９は、他の実施形態に係る仕切り壁で区画される複数個のソケット収容部からなるホルダー部及び対応するカバー部が示されるコネクタ構造の外観斜視図である。
【発明を実施するための形態】
【００１８】
＜コネクタ構造概説＞
本発明の実施形態を添付図面に基づいて説明するが、本発明の技術的範囲は、これらの実施形態によって限定されるものではなく、発明の要旨を逸脱しない範囲で実施することができる。図１は、本発明の実施形態に係るコネクタ構造の外観斜視図であって、（Ａ）は斜め上方からの斜視図、（Ｂ）は斜め下方からの斜視図である。図２は、同コネクタ構造の単位ソケットと分離された状態の電線に接続されたコンタクトとの外観斜視図である。図３は、同コネクタ構造の単位ソケット、ホルダー部、及びカバー部の組み付け工程で単位ソケットがホルダー部に組み付けられる段階を示す外観斜視図である。図４は、同コネクタ構造の組み付け工程で単位ソケットが組み付けられたホルダー部がカバー部に組み付けられる段階を示す外観斜視図である。図５は、同コネクタ構造の組み付け工程で単位ソケットがホルダー部に組み付けられる段階を示すもので図３の裏面を示す外観斜視図である。図６は、同コネクタ構造の単位ソケットがカバー部の対応するところに嵌合する工程図であって、（Ａ）は嵌合前の状態、（Ｂ）は嵌合途中の状態、（Ｃ）は嵌合完了の状態を示す外観斜視図であり、（Ｄ）はホルダーの底面図である。なお説明中の方向指示は図中の方向定義に従う。
【００１９】
本実施形態のコネクタ構造１は、図１に示されるように、電線Ｗに接続するソケットコネクタ１０と図示しない回路基板に接続するベースコネクタ２０とからなる。ソケットコネクタ１０は電線接続側を上に向け嵌合側が下に向く姿勢でベースコネクタ２０の上面の開口部から挿入されて嵌合完了姿勢にいたる。
【００２０】
ソケットコネクタ１０は非導電性の合成樹脂からなるソケットハウジング１１と、導電性の銅合金からなるソケットコンタクト１２とを備える。ソケットコンタクト１２は電線Ｗに接続する接続部を上端部に備え、相手側コンタクトに接続する接触部を下端部に備える。
【００２１】
ソケットハウジング１１は左右方向に沿って一列状に並ぶ複数個の単位ソケット１１０に分割されている。ソケットハウジング１１は独立した単位ソケット１１０の集合体である。集合状態で隣接ずる単位ソケット１１０は互いの側面同士が対峙する姿勢で接する。対峙する側面同士は略平坦で互いの動きを規制する規制手段は備わらない。単位ソケット１１０は単独で挿抜操作が可能である。単位ソケット１１０は隣り合う単位ソケット１１０と同極数のソケットコンタクト１２を備えるものであってよく、異極数のソケットコンタクト１２を備えるものであってもよい。
【００２２】
ベースコネクタ２０はＬ字状のベースコンタクト２２とベースコンタクト２２を底壁で保持する非導電性の合成樹脂からなるベースハウジング２１とを備える。
【００２３】
ベースハウジング２１は二つの構成要素に分割可能で内側を構成するホルダー部２１０と外側を構成するカバー部２３０とからなる。ホルダー部２１０はカバー部２３０の内側に合体して一体的にベースハウジング２１を構成する。ホルダー部２１０はバスタブ状で全体的に内側面でソケット収容部２１５１を区画する。カバー部２３０は外側面でベースハウジング２１の輪郭を形成する。
【００２４】
ベースハウジング２１のカバー部２３０には、図１に示されるように、図示しない回路基板に接続するベースコンタクト２２が装着される。ベースコンタクト２２は外部に露出する接続部と、相手方コンタクトに接続する図示しない接触部とを備える。接触部と接続部との間には図示しない保持部が備わり、保持部はカバー部２３０の対応する位置に圧入保持される。接触部はカバー部２３０の底壁２３６から上方へ直進しベースハウジング２１の内側で左右方向に沿って等間隔に並ぶ。
【００２５】
ベースコンタクト２２の接続部はベースハウジング２１の底面に沿って後方に延び図示しない回路基板のターミナルに接続する。ベースコンタクト２２は左右方向に沿って等間隔に並ぶ。
【００２６】
＜単位ソケット＞
単位ソケット１１０は、図２に示されるように、集合して一組のソケットハウジング１１を構成する。単位ソケット１１０は、本実施形態のように左右方向一列に並ぶものに限定されるものではない。たとえば前後方向に集合する場合があってもよい。集合状態を構成する単位ソケット１１０は隣接する単位ソケット１１０の動きを規制しない。単位ソケット１１０は単独で挿抜できる。単位ソケット１１０は隣接する単位ソケット１１０に極数を合わせることを要しない。
【００２７】
単位ソケット１１０は、図２に示されるように、周囲が壁面で囲われた箱体状である。壁面は内部にコンタクト収容室１１５０を区画する。コンタクト収容室１１５０は複数個備わり上壁１１５の開口部はコンタクト収容室１１５０に連通する。前壁１１１にはソケットコンタクト１２を所定位置で保持するための係止部１１１０が備わる。電線Ｗの先端部に接続するソケットコンタクト１２は先端が下に向く姿勢でコンタクト収容室１１５０に装着される。装着位置でソケットコンタクト１２のランスは単位ソケット１１０の前壁１１１の係止部１１１０に係止して保持される。
【００２８】
単位ソケット１１０の左右側壁１１３、１１３及び前壁１１１には、図３、図５に示されるように、凸凹のない平坦面が備わる。単位ソケット１１０の後壁１１２には左右端部に上下方向に延びる隆起した案内突条部１１２０、１１２０が形成され中央部には片持ち梁状の係止片１１２３が備わる。
【００２９】
＜ホルダー部＞
ホルダー部２１０は、図３に示されるように、上面に開口部が形成された周囲が壁面で囲われる箱体状である。壁面は内部に開口部に連通するソケット収容部２１５１を区画する。ホルダー部２１０の前壁１１１の外側面には中央部に前後方向に弾性変形可能なロックレバー２１１１が備わる。ロックレバー２１１１の上端部には一回り厚みが増した操作部２１１２があり、外側面には左右方向に延びる突起部２１１３が備わる。ロックレバー２１１１は下端を基端部にする片持ち梁であって前後方向に弾性的に変形する。前壁２１１の外側面の左右端部には上下方向に突状に延びる案内突条部２１１０、２１１０が備わる。案内突条部２１１０は側壁２１３の前端部が全体的にそのまま前方に張り出す態様である。
【００３０】
ホルダー部２１０の上面には、図３、図５に示されるように、前壁２１１から左右側壁２１３、２１３の上端部をカバーするように外方向に張り出すフランジ２１００が備わる。フランジ２１００は前壁２１１中央でロックレバー２１１１の動きを妨げないように所定範囲に亘る窪み部が備わる。操作部２１１２周囲のフランジ２１００はロックレバーの反転防止の機能を有する。
【００３１】
ホルダー部２１０は上面に壁際まで広がる開口部２１５０が備わり、開口部２１５０は
ソケット収容部２１５１に連通している。単位ソケット１１０は開口部２１５０を通してソケット収容部２１５１に組み付けられる。
【００３２】
ホルダー部２１０の後壁２１２には、図３、図５に示されるように、内側面に上下方向に延びる案内溝部２１２１が形成されている。案内溝部２１２１は単位ソケット１１０の案内突条部１１２０の対応する位置にあり一対で単位ソケットに対応する。案内溝部２１２１に案内突条部１１２０が嵌る姿勢で進み単位ソケット１１０はソケット収容部２１５１に組み付けられる。案内溝部２１２１と案内溝部２１２１との間には係止穴２１２０が形成された後壁２１２が備わる。
【００３３】
ホルダー部２１０の底壁２１６には、図６に示されるように、ベースコンタクト２２用の開口部２２０が備わる。ホルダー部２１０がカバー部２３０に組み付けられた状態でベースコンタクト２２の接触部は開口部２２０を通して上方へ延びる。
【００３４】
＜カバー部＞
カバー部２３０は、図３に示されるように、上面に開口部２３００が形成された周囲が壁面で囲われる箱体状である。壁面は内部に開口部２３００に連通するホルダー収容部２３０１を区画する。前壁２３１の内側面の中央部には上下方向に延びる凹状のロックレバー溝２３１１が備わる。前壁２３１内側面の左右端部には上下方向に延びる凹状の案内溝部２３１２、２３１２が備わる。案内溝部２３１２はホルダー部２１０の案内突条部２１１０の対応する位置にある。案内溝部２３１２に案内突条部２１１０が嵌る姿勢で進みホルダー部２１０はカバー部２３０に組み付けられる。
【００３５】
カバー部２３０は上面に開口部２３００を有し、開口部２３００はホルダー収容部２３０１に連通する。ホルダー部２１０は開口部２３００を通してホルダー収容部２３０１に組み付けられる。
【００３６】
カバー部２３０は、図３に示されるように、左右側壁２３３、２３３に補強金具２３３１を保持するためのスリット２３３０を備える。圧延金属板の切り出しからなる補強金具２３３１はスリット２３３０に圧入保持される。保持状態で補強金具２３３１の下辺部及び角部はスリット２３３０の隙間部から露出する。補強金具２３３１はベースコネクタ２０と図示しない回路基板との接続強度を補強するものである。
【００３７】
カバー部２３０の底壁２３６には図示しない圧入孔が備わる。圧入孔はベースコンタクト２２を保持部で保持する。
【００３８】
カバー部２３０の後壁２３２及び左右側壁２３３、２３３の内側面には凹凸のない平坦面が備わる。底壁２３６には等間隔に配置されたベースコンタクト２２が備わる。
【００３９】
＜組み付け工程＞
単位ソケット１１０は、図３に示されるように、４個で一組のソケットハウジング１１を構成する。集合が解かれた状態のソケットハウジング１１は４個の単位ソケット１１０に分割される。一組のソケットハウジング１１を構成する単位ソケット１１０は単体でホルダー部２１０の対応するソケット収容部２１５１に収容される。隣接する単位ソケット１１０は側壁１１３、１１３同士が近接する状態で組み付けられる。側壁１１３と側壁１１３との間には互いを隔てる仕切り壁はなく密接状態で隣接する。これにより仕切り壁を設置することによるコネクタ構造の大型化が抑制される。
【００４０】
複数個の単位ソケット１１０は２個以上を一体としてホルダー部２１０の対応するソケット収容部２１５１に組み付けてよい。或いは単位ソケット１１０単位でソケット収容部
２１５１に組み付けてもよい。このときソケット収容部２１５１の一端から順次隣接する単位ソケット１１０を組み付けて他端で終わってよい。また組み付け完了時にソケット収容部２１５１に単位ソケット１１０の空席が生じる場合があってもよい。
【００４１】
単位ソケット１１０がソケット収容部２１５１の対応する位置にすべて組み付くとソケットハウジング１１とホルダー部２１０とは一体化する。これによりソケットハウジング１１とベースハウジング２１との嵌合は単位ソケット１１０が組み付けられたホルダー部２１０とカバー部２３０との嵌合に変換される。
【００４２】
単位ソケット１１０が対応する場所にすべて組み付けられたホルダー部２１０は、図４に示されるように、カバー部２３０のホルダー収容部２３０１に組み付けられる。カバー部２３０に組み付けられたホルダー部２１０は一体的にベースハウジング２１を構成する。これによりソケットハウジング１１とベースハウジング２１との嵌合によるコネクタ構造１が得られる。
【００４３】
ホルダー部２１０は、図４に示されるように、底面を下にする姿勢でカバー部２３０の上方位置からホルダー収容部２３０１に組み付けられる。位置合わせの目安はホルダー部２１０前壁２１１左右端の案内突条部２１１０、２１１０の下端と、カバー部２３０前壁２３１内側面の左右端に備わる案内溝部２３１２、２３１２の上端との水平方向の一致である。このように水平方向の位置が合わされるところでホルダー部２１０はカバー部２３０に対する組み付け位置にある。
【００４４】
ホルダー部２１０の案内突条部２１１０とカバー部２３０の案内溝部２３１２の水平方向の位置が合わされるところからホルダー部２１０を案内溝部２３１２に沿って降下させる。これによりホルダー部２１０の底壁２１６下面がカバー部２３０の底壁２３６上面に当接して停止する。このようにしてホルダー部２１０はカバー部２３０のホルダー収容部２３０１に組み付けられる。
【００４５】
ホルダー部２１０とカバー部２３０との組み付け過程でホルダー部２１０の前壁２１１に備わるロックレバー２１１１は全体的に後方へたわむ。嵌合の進行に応じてたわみ量は増す。ホルダー部２１０が組み付け完了位置にあるときロックレバー２１１１に備わる突起部２１１３がカバー部２３０のロックレバー溝２３１１に形成される係止穴２３１０に嵌りあう。これによりロックレバー２１１１の後方へのたわみは多少弱まり、組み付け完了の係止位置でホルダー部２１０はカバー部２３０に保持される。
【００４６】
＜単位ソケットの組み付け工程＞
単位ソケット１１０は、図６に示されるように、底面を下にする姿勢でホルダー部２１０に組み付けられる。このときホルダー部２１０は開口部２１５０を上にする姿勢にある。図６は、同コネクタ構造の単位ソケットがカバー部の対応するところに嵌合する工程図であって、（Ａ）は嵌合前の状態、（Ｂ）は嵌合途中の状態、（Ｃ）は嵌合完了の状態を示す外観斜視図であり、（Ｄ）はホルダーの底面図である。
【００４７】
単位ソケット１１０のホルダー部２１０に組み付く位置は案内突条部１１２０、１１２０と案内溝部２１２１、２１２１との対応関係による。単位ソケット１１０は装着するソケットコンタクト１２の個数によって大きさが相違し特に左右方向の幅寸法が相違する。案内突条部１１２０は後壁１１２の左右端部に備わるので装着するソケットコンタクト１２の個数によって案内突条部１１２０の備わる間隔が相違する。これに対応する位置にホルダー部２１０の案内溝部２１２１は備わるので、案内溝部２１２１の間隔は対応する単位ソケット１１０によって決まる。
これにより単位ソケット１１０は対応するソケット収容部２１５１の位置に組み付けら
れる。
【００４８】
単位ソケット１１０は、図６に示されるように、対応するソケット収容部２１５１に収容される。単位ソケット１１０の後壁１１２左右端部の案内突条部１１２０、１１２０はホルダー部２１０の対応する位置で案内溝部２１２１、２１２１に沿って下方に進む。
【００４９】
単位ソケット１１０の後壁１１２に備わる係止片１１２３は下端を基端部とし上端を可動部とする片持ち梁である。係止片１１２３は上端にある厚みのある操作部１１２４を作用点として全体が前後方向に弾性的に変位する。組み付け工程初期の係止片１１２３は操作部１１２４が壁側にやや近づいた位置にある。
【００５０】
組み付け工程が進み単位ソケット１１０の下端が３分の１ほどソケット収容部２１５１に収容される位置で係止片１１２３の外側面はホルダー部２１０の後壁２１２内側面の上端部に当接する。当接により係止片１１２３は壁側である前方へ弾性的に変位する。組み付け工程の進行に応じて係止片１１２３の変位は増す。
【００５１】
単位ソケット１１０がソケット収容部２１５１の組み付け完了位置まで挿入されると、単位ソケット１１０の底面はホルダー部２１０底壁２１６の上面に当接する。組み付け完了位置で係止片１１２３は倒れた姿勢で外側面をホルダー部２１０後壁２１２内側面に当接し付勢力を加える。係止片１１２３の外側面に備わる係止突部１１２５はホルダー部２１０後壁２１２に備わる対応する係止穴２１２０の位置にある。係止突部１１２５が係止穴２１２０に係止し単位ソケット１１０はホルダー部２１０の組み付け完了位置で保持される。
【００５２】
収容された単位ソケット１１０のホルダー部２１０からの抜き出しは、係止片１１２３の操作部１１２４を前方の壁側に倒し係止突部１１２５と係止穴２１２０との係止状態を解除しておこなう。抜き出し操作は組み付け工程と逆手順でおこなわれる。係止状態が解除された単位ソケット１１０は上方向への移動によってソケット収容部２１５１から抜去される。
【００５３】
＜別の組み付け順序＞
単位ソケット１１０は、図７に示されるように、ホルダー部とカバー部が一体化した状態のホルダー部に組み付けてもよい。このときの単位ソケット１１０の組み付け要領は、カバー部２３０から分離された状態のホルダー部２１０に組み付ける操作手順と概ね同じである。また、このときのホルダー部２１０とカバー部２３０との組み付け要領は、単位ソケット１１０が組み付けられたホルダー部２１０をカバー部２３０に組み付ける操作手順と概ね同じである。
【００５４】
＜効果＞
本実施形態に係るコネクタ構造１は複数個の単位ソケット１１０の集合体を一つのベースハウジング２１に組み付け可能である。これにより小型化可能なコネクタ構造１が得られる。
本実施形態に係るコネクタ構造１は異なる極数の単位ソケット１１０の集合体を一つのベースハウジング２１に組み付け可能である。これにより組み合わせる単位ソケット１１０の自由度が高いコネクタ構造１が得られる。
【００５５】
本実施形態に係るコネクタ構造１は単位ソケット１１０の案内突条部１１２０をホルダー部２１０の案内溝部２１２１の位置にあわせて組み付けられるので、スムーズな挿入が可能なコネクタ構造１が得られる。
本実施形態に係るコネクタ構造１は単位ソケット１１０の案内突条部１１２０をホルダ
ー部２１０の対応する案内溝部２１２１に合わせて組み付けられるので、異なる極数同士の単位ソケット１１０を誤挿入することがないコネクタ構造１が得られる。
【００５６】
本実施形態に係るコネクタ構造１は単位ソケット１１０の係止片１１２３を倒して対応するホルダー部２１０の係止穴２１２０との係止を解除することで抜出が可能状態となる。これによりたとえばマイナスドライバ等の道具を必要としない解除可能なコネクタ構造１が得られる。
本実施形態に係るコネクタ構造１は複数個の単位ソケット１１０を収容するソケット収容部２１５１が単位ソケット１１０単位の仕切り壁で区画される構造ではなく、隣接する単位ソケット１１０の側壁１１３同士が接する構造である。これにより小型化が可能なコネクタ構造１が得られる。
【００５７】
本実施形態に係るコネクタ構造１はベースハウジング２１がカバー部２３０とホルダー部２１０に分割可能なセパレート構造である。一方分割された単位ソケット１１０はホルダー部２１０に組み付けられて一括挿入される。これにより組み付け操作が容易なコネクタ構造１が得られる。
本実施形態に係るコネクタ構造１は単位ソケット１１０には係止片１１２３が備わり、対応するホルダー部２１０には係止穴２１２０が備わる。これにより組み付け完了位置に組み付けられた単位ソケット１１０はホルダー部２１０に保持されるコネクタ構造１が得られる。
【００５８】
本実施形態に係るコネクタ構造１はホルダー部２１０にはロックレバー２１１１が備わり、対応するカバー部２３０には係止穴２３１０が備わる。これにより組み付けられたホルダー部２１０はカバー部２３０に保持されるコネクタ構造１が得られる。
【００５９】
＜他の実施形態＞
本発明の技術的範囲は本実施形態によって限定的に解釈されるものではなく、本発明の要旨を逸脱しない範囲で種々の態様を取りうるものである。他の実施形態について図面に基づいて説明する。図８は、他の実施形態に係る仕切り壁で区画される複数個の収容部からなるカバー部及び対応する複数個のホルダー部が示されるコネクタ構造の外観斜視図である。図９は、他の実施形態に係る仕切り壁で区画される複数個のソケット収容部からなるホルダー部及び対応するカバー部が示されるコネクタ構造の外観斜視図である。
【００６０】
カバー部５２３０は、図８に示されるように、４個のホルダー収容部５２３０１を備える。ホルダー収容部５２３０１は２列２行の配列で備わる。隣接するホルダー収容部５２３０１は仕切り壁５００で区画されている。各ホルダー部５２１０には複数個の単位ソケット５１１０が収容可能なソケット収容部２１５１が備わる。
また、図９に示されるように、仕切り壁を備えたホルダー部がカバー部に組み付けられる構造であってもよい。
このような構成をとる場合でも概ね上述した効果が得られる。
【符号の説明】
【００６１】
１          コネクタ構造
１０        ソケットコネクタ
１１        ソケットハウジング
１２        ソケットコンタクト
１１０      単位ソケット
１１１      前壁
１１１０    係止部
１１２      後壁
１１２０    案内突条部
１１２３    係止片
１１２４    操作部
１１２５    係止突部
１１３      側壁
１１５      上壁
１１５０    コンタクト収容室
１１６      底壁
２０        ベースコネクタ
２１        ベースハウジング
２２        ベースコンタクト
２１０      ホルダー部
２１００    フランジ
２１１      前壁
２１１０    案内突条部
２１１１    ロックレバー
２１１２    操作部
２１１３    突起部
２１２      後壁
２１２０    係止穴
２１２１    案内溝部
２１３      側壁
２１５      上壁
２１５０    開口部
２１５１    ソケット収容部
２１６      底壁
２２０      開口部
２３０      カバー部
２３００    開口部
２３０１    ホルダー収容部
２３１      前壁
２３１０    係止穴
２３１１    ロックレバー溝
２３１２    案内溝部
２３２      後壁
２３３      側壁
２３３０    スリット
２３３１    補強金具
２３５      上壁
２３６      底壁
Ｗ          電線
【図１】
2018120798.tif 000003
【図２】
2018120798.tif 000004
【図３】
2018120798.tif 000005
【図４】
2018120798.tif 000006
【図５】
2018120798.tif 000007
【図６】
2018120798.tif 000008
【図７】
2018120798.tif 000009
【図８】
2018120798.tif 000010
【図９】
2018120798.tif 000011